(57)【要約】【課題】盤面に対する装置本体の据付作業を簡単なものとすること。【解決手段】内部に回路機器等を収納する収納本体１０と、回路機器を放熱させるためのヒートシンクを構成するフレーム２０とを有する装置本体１と、装置本体１の後端部及び前後方向の中間部のいずれか一方に択一的に配設され、かつ自身が盤面５０に取り付けられることで装置本体１を盤面５０に据え付ける取付金４０とを備えた電力変換装置であって、装置本体１は、後端部及び中間部にガイド溝２２２，２３２が形成されて成り、取付金４０は、ガイド溝２２２，２３２に前後方向及び左右方向の移動が規制された状態で進入する規制片４４，４８と、規制片４４，４８がガイド溝２２２，２３２に進入した状態で装置本体１に締結ネジ４９を介して締結される締結片４３，４７とが一体的に形成されて成るものである。【選択図】図２
2015223052.tif 000002
【特許請求の範囲】
【請求項１】
内部に回路機器を収納する収納本体と、前記回路機器を放熱させるためのヒートシンクを構成するフレームとを有する装置本体と、
前記装置本体の後端部及び前後方向の中間部のいずれか一方に択一的に配設され、かつ自身が盤面に取り付けられることで前記装置本体を該盤面に据え付ける取付金と
を備えた電力変換装置であって、
前記装置本体は、前記後端部及び前記中間部にガイド溝が形成されて成り、
前記取付金は、
前記ガイド溝に前後方向及び左右方向の移動が規制された状態で進入する規制片と、
前記規制片が前記ガイド溝に進入した状態で前記装置本体に締結部材を介して締結される締結片と
が一体的に形成されて成ることを特徴とする電力変換装置。
【請求項２】
前記ガイド溝は、前記フレームの後端部及び前端部において上面及び下面に露出する態様で形成されることを特徴とする請求項１に記載の電力変換装置。
【発明の詳細な説明】
【技術分野】
【０００１】
本発明は、電力変換装置に関するものである。
【背景技術】
【０００２】
従来、例えば昇降機や空調機等の制御において電力変換装置が用いられている。この種の電力変換装置は、ＩＧＢＴ等のパワー半導体モジュールや制御回路等の回路機器を収納する収納本体と、パワー半導体モジュールを放熱させるためのヒートシンクを構成するフレームとが一体的に連結されて装置本体を構成している。そして、かかる電力変換装置は、装置本体が制御盤に据え付けられて使用される。
【０００３】
ここで装置本体の据付方式としては、装置本体を制御盤の盤面の内方側に据え付ける盤内据付方式と、収納本体の大部分が盤面よりも内方側に位置し、かつフレームが盤面よりも外方側に位置する態様で装置本体を盤面に据え付ける盤外据付方式とが知られている。これら盤内据付方式と盤外据付方式とのいずれかを採用するかは利用者の選択に委ねられている。
【０００４】
このような盤内据付方式と盤外据付方式とのいずれにも対応できるよう装置本体に対して着脱可能に配設された長尺状の取付金を備えた電力変換装置が知られている。かかる電力変換装置では、取付金が、装置本体に設けられたいずれかの取付金配設個所に自身の長手方向に沿って複数のボルトを装置本体に螺合させることで配設されており、これらボルトを緩めて装置本体との螺合を解除することで取付金を装置本体から離脱させることができる。
【０００５】
そして、上記取付金を取付金配設個所に配設させた後に該取付金の一部を盤面に取り付けることにより、所望の据付方式（盤内据付方式又は盤外据付方式）にて装置本体を盤面に据え付けることができる（例えば、特許文献１参照）。
【先行技術文献】
【特許文献】
【０００６】
【特許文献１】特開２０００−０６０１３５号公報
【発明の概要】
【発明が解決しようとする課題】
【０００７】
ところが、上述したような電力変換装置では、装置本体の取付金配設個所において取付金の長手方向に沿って複数のボルトを装置本体に螺合させることで取付金を装置本体に配設していたので、取付金を装置本体に着脱させるためには、複数のボルトを装置本体と螺合等させる必要があり、結果的に、盤面に対する装置本体の据付作業が煩雑なものとなっていた。
【０００８】
そこで、装置本体に設けられた全ての取付金配設個所に取付金を予め配設しておき、選択された据付方式に応じていずれかの取付金を盤面に取り付けるようにして装置本体を据え付けることで、装置本体の据付作業を容易なものとすることが考えられる。
【０００９】
しかしながら、このように全ての取付金配設個所に取付金を予め配設しておくことは、装置本体よりも外方に各取付金の一部が突出することとなり、盤面に形成される開口部の開口面積を装置本体よりも大きくする必要がある。このように開口部の開口面積を大きくすることは、装置本体を盤面に据え付けた後に、開口部の縁部と装置本体との隙間を埋めるための養生作業を必要とし、依然として盤面に対する装置本体の据付作業が煩雑なものとなっていた。
【００１０】
本発明は、上記実情に鑑みて、盤面に対する装置本体の据付作業を簡単なものとすることができる電力変換装置を提供することを目的とする。
【課題を解決するための手段】
【００１１】
上記目的を達成するために、本発明に係る電力変換装置は、内部に回路機器を収納する収納本体と、前記回路機器を放熱させるためのヒートシンクを構成するフレームとを有する装置本体と、前記装置本体の後端部及び前後方向の中間部のいずれか一方に択一的に配設され、かつ自身が盤面に取り付けられることで前記装置本体を該盤面に据え付ける取付金とを備えた電力変換装置であって、前記装置本体は、前記後端部及び前記中間部にガイド溝が形成されて成り、前記取付金は、前記ガイド溝に前後方向及び左右方向の移動が規制された状態で進入する規制片と、前記規制片が前記ガイド溝に進入した状態で前記装置本体に締結部材を介して締結される締結片とが一体的に形成されて成ることを特徴とする。
【００１２】
また本発明は、上記電力変換装置において、前記ガイド溝は、前記フレームの後端部及び前端部において上面及び下面に露出する態様で形成されることを特徴とする。
【発明の効果】
【００１３】
本発明によれば、取付金が、ガイド溝に前後方向及び左右方向の移動が規制された状態で進入する規制片と、この規制片がガイド溝に進入した状態で装置本体に締結部材を介して締結される締結片とが一体的に形成されて成るので、取付金の規制片をガイド溝に進入させることで規制片は前後方向及び左右方向の移動が規制されるので、締結片を締結部材により装置本体に締結させることで、従来のように取付金の長手方向に沿って複数のボルトを螺合させなくても、締結片のみを装置本体に締結させることで容易に取付金を装置本体に配設することができるし、締結片のみを装置本体から締結解除させることにより取付金を容易に装置本体から離脱させることもできる。このように装置本体に対する取付金の着脱を容易に行うことができる結果、盤面に対する装置本体の据付作業を簡単なものとすることができるという効果を奏する。
【図面の簡単な説明】
【００１４】
【図１】図１は、本発明の実施の形態である電力変換装置を模式的に示す側面図である。
【図２】図２は、図１に示した電力変換装置を模式的に示す平面図である。
【図３】図３は、図１及び図２に示した装置本体の要部を模式的に示す平面図である。
【図４】図４は、図１及び図２に示した装置本体の要部を模式的に示す底面図である。
【図５】図５は、第１取付金の正面図である。
【図６】図６は、第１取付金の平面図である。
【図７】図７は、第２取付金の正面図である。
【図８】図８は、第２取付金の平面図である。
【図９】図９は、電力変換装置を盤面に据え付ける状態を示す説明図である。
【図１０】図１０は、電力変換装置を盤面に据え付ける状態を示す説明図である。
【図１１】図１１は、電力変換装置を盤面に据え付ける状態を示す説明図である。
【発明を実施するための形態】
【００１５】
以下に添付図面を参照して、本発明に係る電力変換装置の好適な実施の形態について詳細に説明する。
【００１６】
図１は、本発明の実施の形態である電力変換装置を模式的に示す側面図であり、図２は、図１に示した電力変換装置を模式的に示す平面図である。ここで例示する電力変換装置は、装置本体１と取付金４０とを備えて構成されている。
【００１７】
装置本体１は、収納本体１０とフレーム２０とが連結されて構成されている。収納本体１０は、例えばプラスチック等の樹脂材から形成された箱体である。この収納本体１０は、フレーム２０の左方域及び前方域を覆う態様で該フレーム２０の前方側に配設されている。かかる収納本体１０は、フレーム２０との間に回路機器を収納するための収納空間を画成している。
【００１８】
収納本体１０の前面には、液晶ディスプレイ等の表示部や操作ツマミ等の入力部を有する表示操作部１１が設けられている。また、収納本体１０の上面には上方に突出する態様で商用電源や直流電源等の電源部に接続するための入力端子台１２が配設されているとともに、該収納本体１０の下面には下方に突出する態様でモータ等の負荷に接続するための出力端子台１３が配設されている。
【００１９】
また、収納本体１０の上面の左側前端部分には、上方に向けて突出する舌片状の上方支持片１４が形成されているとともに、収納本体１０の下面の左側前端部分には、下方に向けて突出する舌片状の下方支持片１５が形成されている。上方支持片１４及び下方支持片１５には、それぞれネジ孔１４ａ，１５ａが形成されている。
【００２０】
図３は、図１及び図２に示した装置本体の要部を模式的に示す平面図であり、図４は、図１及び図２に示した装置本体の要部を模式的に示す底面図である。装置本体１を構成するフレーム２０は、例えばアルミニウム等の良好な熱伝導性を有する高熱伝導性材料を例えば押出成型にて形成されたものである。
【００２１】
このフレーム２０は、収納本体１０の内部を臨むよう該収納本体１０に覆われる左側部２１と、左側部２１の前後両端部より右方に向けて延在する後面部２２及び前面部２３と、後面部２２及び前面部２３のそれぞれの右端縁部を連結する右側部２４とが一体的に形成されることで、上面及び下面に外部の空気が通過するための上方通風開口２５及び下方通風開口２６が形成された筒状体である。尚、これら上方通風開口２５及び下方通風開口２６は、複数の通風孔が形成されたカバー体（図示せず）によりそれぞれ閉塞されている。
【００２２】
図２に示すように、フレーム２０には、フィンユニット３０及び送風ファンＦが配設されている。フィンユニット３０は、例えばアルミニウム等の良好な熱伝導性を有する高熱伝導性材料から形成されるもので、ベース部３１と複数のフィン３２とを備えて構成されている。
【００２３】
ベース部３１は、略平板状の形態を成すものであり、フレーム２０の左側部２１に取り付けられている。より詳細には、左側部２１に形成された図示せぬ貫通孔を貫通する態様で該左側部２１に取り付けられている。このベース部３１の左面には、例えばＩＧＢＴ（Insulated  Gate  Bipolar  Transistor）のような上記回路機器を構成するパワー半導体モジュール１６が熱的に接続されている。
【００２４】
複数のフィン３２は、それぞれ薄板状の形態を成している。これらフィン３２は、ベース部３１の右面に前後方向に沿って並ぶよう所定間隔毎に起立姿勢にて配設されている。これらフィン３２は、基端部がベース部３１に形成された図示せぬ凹部に進入した状態でカシメ加工が施されることにより配設されている。
【００２５】
送風ファンＦは、フィンユニット３０の上方域に配設されている。この送風ファンＦは、駆動することにより、下方通風開口２６より外部の空気をフレーム２０の内部に導入し、フレーム２０の内部を通過した空気を上方通風開口２５を通じて外部に送出するものである。
【００２６】
上記フレーム２０には、図３及び図４に示すように、第１締結用凹部２２１、第１ガイド溝２２２、第２締結用凹部２３１及び第２ガイド溝２３２が形成されている。
【００２７】
第１締結用凹部２２１は、フレーム２０の後面部２２の左方側に、後方に凹、すなわち前方に凸となる態様で上下方向に沿って延在するよう形成されている。この第１締結用凹部２２１の底部には、第１締結用貫通孔２２１ａが形成されている。
【００２８】
第１ガイド溝２２２は、フレーム２０の後面部２２の内面となる前面において第１締結用凹部２２１の右方側に上下方向に沿って延在する態様で形成されている。つまり、第１ガイド溝２２２は、フレーム２０の後端部において上面及び下面に露出する態様で形成されている。より詳細に説明すると、第１ガイド溝２２２は、第１締結用凹部２２１の右端部より後面部２２より離隔する態様で右方に延在する第１右延部２２２ａと、フレーム２０の右側部２４の後端部において後面部２２より離隔する態様で左方に向けて延在する第１左延部２２２ｂとが形成されることにより、後面部２２と、第１右延部２２２ａ及び第１左延部２２２ｂとの間に形成されている。また、フレーム２０の後面部２２における第１ガイド溝２２２に対応する後面には、凹部と凸部とが交互に形成されることで凹凸が形成されている。
【００２９】
第２締結用凹部２３１は、フレーム２０の前面の左方側に、前方に凹、すなわち後方に凸となる態様で上下方向に沿って延在するよう形成されている。この第２締結用凹部２３１の底部には、第２締結用貫通孔２３１ａが形成されている。
【００３０】
第２ガイド溝２３２は、フレーム２０の前面部２３の内面となる後面において第２締結用凹部２３１の右方側に上下方向に沿って延在する態様で形成されている。つまり、第２ガイド溝２３２は、フレーム２０の前端部において上面及び下面に露出する態様で形成されている。より詳細に説明すると、第２ガイド溝２３２は、第２締結用凹部２３１の右端部より前面部２３より離隔する態様で右方に延在する第２右延部２３２ａと、フレーム２０の右側部２４の前端部において前面部２３より離隔する態様で左方に向けて延在する第２左延部２３２ｂとが形成されることにより、前面部２３と、第２右延部２３２ａ及び第２左延部２３２ｂとの間に形成されている。ここで第２ガイド溝２３２の前後幅及び左右幅は、第１ガイド溝２２２の前後幅及び左右幅と同じ大きさを有している。
【００３１】
上記フレーム２０の右側部２４には、外面となる右面に凹部と凸部とが交互に形成されることで凹凸が形成されている。また、右側部２４の内面となる左面には、第１左延部２２２ｂと第２左延部２３２ｂとの間に複数の溝部２４ａが形成されている。これら溝部２４ａは、右側部２４の左面において上下方向に沿って延在するものであり、その溝幅、すなわち前後幅は、フィンユニット３０のフィン３２の厚みと同程度の大きさ若しくは僅かに大きいものである。そして、これら溝部２４ａは、図２に示したように、それぞれ対応するフィン３２の先端部の進入を許容するものであり、該溝部２４ａの内壁面が該先端部と接している。つまり、右側部２４は、フィンユニット３０を構成するフィン３２と熱的に接続されている。これにより、フレーム２０は、フィンユニット３０とともにヒートシンクを構成している。
【００３２】
取付金４０は、複数（図示の例では２つ）設けてあり、第１取付金４０ａ及び第２取付金４０ｂを有している。
【００３３】
図５は、第１取付金の正面図であり、図６は、第１取付金の平面図である。これら図５及び図６に示すように、第１取付金４０ａは、例えば金属製の板状体を屈曲加工等して形成されるものであり、第１主取付片４１、第１補助取付片４２、第１締結片４３及び第１規制片４４が一体的に形成されて構成されている。
【００３４】
第１主取付片４１は、左右方向が長手方向となる長尺状のものであり、上下方向に沿って延在する態様で形成されている。この第１主取付片４１の長手方向の長さは、図２に示すように装置本体１の左右幅の長さと略同等の大きさを有している。また第１主取付片４１には、複数（図示の例では２つ）の第１主取付孔４１ａが形成されている。
【００３５】
第１補助取付片４２は、第１主取付片４１の左側下部に連続する水平部４１１の左端部より上方に延在する態様で形成されている。この第１補助取付片４２には、第１補助取付孔４２ａが形成されている。
【００３６】
第１締結片４３は、上記水平部４１１よりも右方側において第１主取付片４１の下部に連続する態様で形成されている。この第１締結片４３は、第１主取付片４１の中間領域の下部より前方に向けて延在した後に下方に向けて延在するものである。かかる第１締結片４３には、第１締結孔４３ａが形成されている。
【００３７】
第１規制片４４は、上記第１締結片４３よりも右方側において第１主取付片４１の下部に連続する態様で形成されている。この第１規制片４４は、第１主取付片４１の下部より前方に向けて延在した後に下方に向けて延在するものである。この第１規制片４４の前後幅及び左右幅の長さは、第１ガイド溝２２２及び第２ガイド溝２３２の前後幅及び左右幅よりもそれぞれ僅かに小さいものである。また、第１規制片４４の左右幅の長さは、第１右延部２２２ａと第１左延部２２２ｂとの離間距離、並びに第２右延部２３２ａと第２左延部２３２ｂとの離間距離よりも大きいものである。
【００３８】
図７は、第２取付金の正面図であり、図８は、第２取付金の底面図である。これら図７及び図８に示すように、第２取付金４０ｂは、例えば金属製の板状体を屈曲加工等して形成されるものであり、第２主取付片４５、第２補助取付片４６、第２締結片４７及び第２規制片４８が一体的に形成されて構成されている。
【００３９】
第２主取付片４５は、左右方向が長手方向となる長尺状のものであり、上下方向に沿って延在する態様で形成されている。この第２主取付片４５の長手方向の長さは、第１主取付片４１と同様に装置本体１の左右幅の長さと略同等の大きさを有している。また第２主取付片４５には、複数（図示の例では２つ）の第２主取付孔４５ａが形成されている。
【００４０】
第２補助取付片４６は、第２主取付片４５の左側上部に連続する水平部４５１の左端部より下方に延在する態様で形成されている。この第２補助取付片４６には、第２補助取付孔４６ａが形成されている。
【００４１】
第２締結片４７は、上記水平部４５１よりも右方側において第２主取付片４５の上部に連続する態様で形成されている。この第２締結片４７は、第２主取付片４５の中間領域の上部より前方に向けて延在した後に上方に向けて延在するものである。かかる第２締結片４７には、第２締結孔４７ａが形成されている。
【００４２】
第２規制片４８は、上記第２締結片４７よりも右方側において第２主取付片４５の上部に連続する態様で形成されている。この第２規制片４８は、第２主取付片４５の上部より前方に向けて延在した後に上方に向けて延在するものである。この第２規制片４８の前後幅及び左右幅の長さは、第１ガイド溝２２２及び第２ガイド溝２３２の前後幅及び左右幅よりもそれぞれ僅かに小さいものである。また、第２規制片４８の左右幅の長さは、第１右延部２２２ａと第１左延部２２２ｂとの離間距離、並びに第２右延部２３２ａと第２左延部２３２ｂとの離間距離よりも大きいものである。
【００４３】
このような構成を有する取付金４０は、次のようにして装置本体１に配設される。
【００４４】
第１取付金４０ａの第１規制片４４を第１ガイド溝２２２に上方から進入させると、第１規制片４４の左右幅は第１右延部２２２ａと第１左延部２２２ｂとの離間距離よりも大きいので、第１規制片４４が前後方向及び左右方向の移動が規制される状態となる。第１規制片４４を前後方向及び左右方向の移動が規制された状態で第１ガイド溝２２２に進入させると、第１締結片４３は第１締結用凹部２２１の底部の前方側に位置する。このように第１締結用凹部２２１の底部の前方側に第１締結片４３が位置する状態で、締結部材である締結ネジ４９（図３及び図４参照）を第１締結用貫通孔２２１ａを貫通させて第１締結孔４３ａに螺合させることで、図１及び図２に示すように、第１取付金４０ａは、第１主取付片４１がフレーム２０の後面部２２より上方に向けて突出する姿勢であって、第１補助取付片４２が収納本体１０の左端部より上方に向けて突出する姿勢で配設される。
【００４５】
第２取付金４０ｂの第２規制片４８を第１ガイド溝２２２に下方から進入させると、第２規制片４８の左右幅は第１右延部２２２ａと第１左延部２２２ｂとの離間距離よりも大きいので、第２規制片４８が前後方向及び左右方向の移動が規制される状態となる。第２規制片４８を前後方向及び左右方向の移動が規制された状態で第１ガイド溝２２２に進入させると、第２締結片４７は第１締結用凹部２２１の底部の前方側に位置する。このように第１締結用凹部２２１の底部の前方側に第２締結片４７が位置する状態で、締結部材である締結ネジ４９を第１締結用貫通孔２２１ａを貫通させて第２締結孔４７ａに螺合させることで、図１に示すように、第２取付金４０ｂは、第２主取付片４５がフレーム２０の後面部２２より下方に向けて突出する姿勢であって、第２補助取付片４６が収納本体１０の左端部より下方に向けて突出する姿勢で配設される。
【００４６】
このようにして第１取付金４０ａ及び第２取付金４０ｂが配設された装置本体１を、図９に示すように、対象となる制御盤の盤面５０の内面に第１主取付片４１及び第２主取付片４５が接した状態で取付ネジ５１により取り付けることで、電力変換装置を盤面５０に盤内据付方式にて据え付けることができる。
【００４７】
また、第１取付金４０ａの第１補助取付片４２が収納本体１０の左端部より上方に向けて突出する姿勢で締結されるとともに、第２取付金４０ｂの第２補助取付片４６が収納本体１０の左端部より下方に向けて突出する姿勢で締結されるので、図１０に示すように、盤面５０の内面に対して第１補助取付片４２、第２補助取付片４６、上方支持片１４及び下方支持片１５が接した状態で取付ネジ５１により装置本体１が取り付けられることにより、盤面５０に対して装置本体１が横向きの姿勢で電力変換装置を据え付けることができる。
【００４８】
次に、第２取付金４０ｂの第２規制片４８を第２ガイド溝２３２に上方から進入させると、第２規制片４８の左右幅は第２右延部２３２ａと第２左延部２３２ｂとの離間距離よりも大きいので、第２規制片４８が前後方向及び左右方向の移動が規制される状態となる。第２規制片４８を前後方向及び左右方向の移動が規制された状態で第２ガイド溝２３２に進入させると、第２締結片４７は第２締結用凹部２３１の底部の後方側に位置する。このように第２締結用凹部２３１の底部の後方側に第２締結片４７が位置する状態で、締結部材である締結ネジを第２締結用貫通孔２３１ａを貫通させて第２締結孔４７ａに螺合させることで、第２取付金４０ｂは、第２主取付片４５がフレーム２０の前面部２３より上方に向けて突出する姿勢で配設される。
【００４９】
第１取付金４０ａの第１規制片４４を第２ガイド溝２３２に下方から進入させると、第１規制片４４の左右幅は第２右延部２３２ａと第２左延部２３２ｂとの離間距離よりも大きいので、第１規制片４４が前後方向及び左右方向の移動が規制される状態となる。第１規制片４４を前後方向及び左右方向の移動が規制された状態で第２ガイド溝２３２に進入させると、第１締結片４３は第２締結用凹部２３１の底部の後方側に位置する。このように第２締結用凹部２３１の底部の後方側に第１締結片４３が位置する状態で、締結部材である締結ネジを第２締結用貫通孔２３１ａを貫通させて第１締結孔４３ａに螺合させることで、第１取付金４０ａは、第２主取付片４５がフレーム２０の後面部２２より下方に向けて突出する姿勢で配設される。
【００５０】
このようにして第１取付金４０ａ及び第２取付金４０ｂが配設された装置本体１を、図１１に示すように、対象となる制御盤の盤面５０の外面に第１主取付片４１及び第２主取付片４５が接した状態で取付ネジ５１により取り付けることで、電力変換装置を盤面５０に盤外据付方式にて据え付けることができる。
【００５１】
以上説明したように、本実施の形態である電力変換装置によれば、第１取付金４０ａの第１規制片４４及び第２取付金４０ｂの第２規制片４８を第１ガイド溝２２２若しくは第２ガイド溝２３２に進入させることで第１規制片４４及び第２規制片４８は前後方向及び左右方向の移動が規制されるので、第１締結片４３及び第２締結片４７を締結ネジ４９により装置本体１に締結させることで、従来のように取付金の長手方向に沿って複数のボルトを螺合させなくても、第１締結片４３及び第２締結片４７のみを装置本体１に締結させることで容易に取付金４０を装置本体１に配設することができるし、第１締結片４３及び第２締結片４７のみを装置本体１から締結解除させることにより取付金４０を容易に装置本体１から離脱させることもできる。このように装置本体１に対する取付金４０の着脱を容易に行うことができる結果、盤面５０に対する装置本体１の据付作業を簡単なものとすることができる。
【００５２】
また、上記電力変換装置によれば、装置本体１に対する取付金４０の着脱を容易に行うことができるので、従来のように全ての取付金を装置本体に予め配設しておく必要がなく、これにより、盤面５０における開口部の開口面積を必要最小限の大きさにすることができ、開口部分を埋めるための養生作業等を行う必要がない。
【００５３】
以上、本発明の好適な実施の形態について説明したが、本発明はこれらに限定されるものではなく、種々の変更を行うことができる。
【００５４】
上述した実施の形態では、第１取付金４０ａの第１締結片４３及び第２取付金４０ｂの第２締結片４７を装置本体１に締結させるために締結ネジ４９を用いたが、本発明においては、この締結ネジ４９に限られず、種々の締結部材により締結片を装置本体に締結させることができる。例えば、スナップフィットにより締結片を装置本体に締結させることで取付金を装置本体に配設するようにしてもよい。
【００５５】
上述した実施の形態では、収納本体１０は、上方支持片１４及び下方支持片１５が形成されていたが、本発明においては、収納本体を盤面に取り付ける際には、専用の取付治具等を用いて取り付けてもよく上方支持片１４や下方支持片１５が形成されていなくてもよい。
【符号の説明】
【００５６】
１  装置本体
１０  収納本体
１６  パワー半導体モジュール
２０  フレーム
２２１  第１締結用凹部
２２２  第１ガイド溝
２３１  第２締結用凹部
２３２  第２ガイド溝
３０  フィンユニット
３１  ベース部
３２  フィン
４０  取付金
４０ａ  第１取付金
４０ｂ  第２取付金
４１  第１主取付片
４２  第１補助取付片
４３  第１締結片
４４  第１規制片
４５  第２主取付片
４６  第２補助取付片
４７  第２締結片
４８  第２規制片
４９  締結ネジ
５０  盤面
Ｆ  送風ファン
【図１】
2015223052.tif 000003
【図２】
2015223052.tif 000004
【図３】
2015223052.tif 000005
【図４】
2015223052.tif 000006
【図５】
2015223052.tif 000007
【図６】
2015223052.tif 000008
【図７】
2015223052.tif 000009
【図８】
2015223052.tif 000010
【図９】
2015223052.tif 000011
【図１０】
2015223052.tif 000012
【図１１】
2015223052.tif 000013